【手続補正書】
【提出日】平成17年2月10日(2005.2.10)
【手続補正１】
【補正対象書類名】明細書
【補正対象項目名】特許請求の範囲
【補正方法】変更
【補正の内容】
【特許請求の範囲】
【請求項１】
成分（Ａ）として、式（１）：
【化１】
1998237346.tif 000001
で示される染料、成分（Ｂ）として、式（２）：
【化２】
1998237346.tif 000002
で示される染料、及び／又は成分（Ｃ）として、式（３）：
【化３】
1998237346.tif 000003
（上記式中、
Ｄは、それぞれの場合に、ベンゼン、ナフタレン、ジフェニル、アゾベンゼン、チオフェン、ベンゾチアゾール、ベンズイソチアゾール、チアゾール、チアジアゾール、インダゾール、ベンゾトリアゾール、ピラゾール、アントラキノン、ヒドロキシナフトエ酸イミド、クロモン又はジフェニレンオキシド系列のジアゾ成分の基であり、
Ｘは、それぞれの場合に、水素、ハロゲン、ＣＦ3、Ｒ3、ＯＲ3、ＮＨ−ＣＯ−Ｒ7、ＮＨ−ＣＯ−ＯＲ8、ＮＨ−ＳＯ2−ＯＲ7又はＮＨＣＯ−ＮＲ4Ｒ5（ここで、Ｒ3は、Ｃ1−Ｃ6アルキルであり、Ｒ4及びＲ5は、それぞれ互いに独立して、水素、Ｃ1−Ｃ4アルキル又はＣ1−Ｃ4アルコキシ−Ｃ2−Ｃ4−アルキルであり、Ｒ7は、水素、Ｃ1−Ｃ6−アルキル、Ｃ1−Ｃ4−アルコキシ−Ｃ1−Ｃ4アルキル又はフェニルであり、そしてＲ8は、Ｃ1−Ｃ6アルキル又はＣ1−Ｃ4アルコキシ−Ｃ2−Ｃ4−アルキルである）であり、そして
Ｙは、それぞれの場合に、水素、ハロゲン、メトキシ、エトキシ又はＯ（ＣＨ2)n−ＯＲ9（ここで、Ｒ9は、水素、メチル又はＣＨ2ＣＨ2ＣＮであり、そしてｎは、１〜６の整数である）である）で示される染料を含むことを特徴とする染料混合物。
【請求項２】
Ｄが、それぞれの場合に、式（４）：
【化４】
1998237346.tif 000004
（式中、
Ａ1は、水素、ハロゲン、ＳＯ2Ｒ3、ＣＦ3又はＣＮであり、
Ａ2は、水素、ハロゲン、ＮＯ2又はＣＮであり、
Ａ3は、水素又はハロゲンであり、そして
Ａ4は、水素、ハロゲン、ニトロ、Ｒ3、ＮＨＣＯＲ3又はＯＲ3（ここで、Ｒ3は、請求項１と同義である）である）で示される基である、請求項１記載の染料混合物。
【請求項３】
Ｘが、ハロゲン、Ｒ3又はＮＨ−ＣＯ−Ｒ7（ここで、Ｒ3及びＲ7は、請求項１と同義である）である、請求項１又は２記載の染料混合物。
【請求項４】
Ａ1が、水素、ハロゲン又はＣＮであり、Ａ2が、水素、ハロゲン、ＣＮ又はニトロであり、Ａ3が、水素であり、そしてＡ4が、ニトロである、請求項２記載の染料。
【請求項５】
Ｄが、下記式：
【化５】
1998237346.tif 000005
のいずれかの基である、請求項２記載の染料混合物。
【請求項６】
請求項２記載の染料混合物を製造するための方法であって、式（４ａ）：
【化６】
1998237346.tif 000006
で示される化合物をジアゾ化し、次いでそのようにして得たジアゾニウム化合物を、式（５）、（６）及び／又は（７）：
【化７】
1998237346.tif 000007
（上記式中、
Ａ1、Ａ2、Ａ3及びＡ4は、請求項２と同義であり、そしてＸ及びＹは、請求項１と同義である）で示されるカップリング成分を含むカップリング成分混合物にカップリングさせることを特徴とする方法。
【請求項７】
式（５）、（６）及び／又は（７）：
【化８】
1998237346.tif 000008
（上記式中、
Ｘは、それぞれの場合に、水素、ハロゲン、ＣＦ3、Ｒ3、ＯＲ3、ＮＨ−ＣＯ−Ｒ7、ＮＨ−ＣＯ−ＯＲ8、ＮＨ−ＳＯ2−ＯＲ7又はＮＨＣＯ−ＮＲ4Ｒ5（ここで、Ｒ3は、Ｃ1−Ｃ6アルキルであり、Ｒ4及びＲ5は、それぞれ互いに独立して、水素、Ｃ1−Ｃ4アルキル又はＣ1−Ｃ4アルコキシ−Ｃ2−Ｃ4−アルキルであり、Ｒ7は、水素、Ｃ1−Ｃ6−アルキル、Ｃ1−Ｃ4−アルコキシ−Ｃ1−Ｃ4アルキル又はフェニルであり、そしてＲ8は、Ｃ1−Ｃ6アルキル又はＣ1−Ｃ4アルコキシ−Ｃ2−Ｃ4−アルキルである）であり、そして
Ｙは、それぞれの場合に、水素、ハロゲン、メトキシ、エトキシ又はＯ（ＣＨ2)n−ＯＲ9（ここで、Ｒ9は、水素、メチル又はＣＨ2ＣＨ2ＣＮであり、そしてｎは、１〜６の整数である）である）で示される化合物を含むカップリング成分混合物。
【請求項８】
請求項７記載のカップリング成分混合物を製造するための方法であって、
式（８）：
【化９】
1998237346.tif 000009
（式中、
Ｘ及びＹは、請求項７と同義である）のアニリンを、クロロ酢酸メチルとクロロ酢酸エチルの９５：５〜５：９５の割合の混合物と反応させることを特徴とする方法。
【請求項９】
半−合成又は合成疎水性繊維材料を浸染又は捺染するための、請求項１記載の染料混合物。
【請求項１０】
半−合成又は合成疎水性繊維材料が、織物材料である、請求項９記載の染料混合物。
【請求項１１】
半−合成又は合成疎水性繊維材料が、ポリエステル繊維である、請求項１０記載の染料混合物。
【手続補正２】
【補正対象書類名】明細書
【補正対象項目名】００３２
【補正方法】変更
【補正の内容】
【００３２】
式（４ａ）の化合物のジアゾ化は、それ自体既知の方法、例えば酸、典型的には塩酸又は硫酸の水性媒体中で亜硝酸ナトリウムにより行われる。しかしながら、ジアゾ化は、ジアゾ化剤、好都合にはニトロシル硫酸でも行うことができる。ジアゾ化の反応媒体は、更なる酸、典型的にはリン酸、硫酸、酢酸、プロピオン酸、塩酸又はそれらの酸の混合物、例えばプロピオン酸と酢酸の混合物を含むことができる。ジアゾ化は、好都合には−１０℃〜３０℃、例えば−１０℃〜室温の温度範囲で行われる。
【手続補正３】
【補正対象書類名】明細書
【補正対象項目名】００３５
【補正方法】変更
【補正の内容】
【００３５】
式（５）、（６）及び（７）のカップリング成分の混合物は、新規であり、この発明の目的でもある。
【手続補正４】
【補正対象書類名】明細書
【補正対象項目名】００３８
【補正方法】変更
【補正の内容】
【００３８】
（式中、
Ｘ及びＹの意味と好適な範囲は、上記と同義である）のカップリング成分は、新規である。
【手続補正５】
【補正対象書類名】明細書
【補正対象項目名】００４１
【補正方法】変更
【補正の内容】
【００４１】
（上記式中、
Ｘ及びＹの意味と好適な範囲は、上記と同義である）で示される化合物を含むカップリング成分混合物を製造するための方法であって、
式（８）：
【手続補正６】
【補正対象書類名】明細書
【補正対象項目名】００６７
【補正方法】変更
【補正の内容】
【００６７】
クロロ酢酸メチルとクロロ酢酸エチルの等モル混合物を、表１に示す割合のクロロ酢酸メチルとクロロ酢酸エチルの混合物に代える以外は、実施例１の方法を繰り返し、式（１０ａ）〜（１０ｃ）のエステルの以下の組成を有する混合物を得た。
【手続補正７】
【補正対象書類名】明細書
【補正対象項目名】００７１
【補正方法】変更
【補正の内容】
【００７１】
実施例２〜９と類似の方法において、３−アミノアセトアニリドを、表２に示すアミンで置き代えることができた。
【手続補正８】
【補正対象書類名】明細書
【補正対象項目名】００７２
【補正方法】変更
【補正の内容】
【００７２】
実施例２１：
２−クロロ−４−ニトロアニリン４８．５重量を、水１００重量部中で、スラリーにし、次いで３２％ＨＣｌの９２重量部を加え、２０〜３０℃で２時間攪拌した。反応混合物に、氷１２５部を加えて０℃に冷却した。続いて、２４．１％Ｇ／Ｇ亜硝酸ナトリウム溶液８１重量部を、０〜５℃で３０分にわたり滴下により加え、この混合物を亜硝酸塩の小過剰で１時間攪拌し、適切ならばスルファミン酸で中和した。次いで、得られたジアゾ溶液を、乾燥酢酸２３０重量部に溶解した実施例１のカップリング成分８８重量部の溶液に１．５時間にわたり、反応温度を氷４００重量部を加えて０〜１５℃に維持しながら滴下により加えた。ジアゾ溶液の添加が終了した後、反応混合物を１時間攪拌した。吸引濾過により沈殿した染料を集め、水で洗浄し、乾燥して以下の成分の緋色の染料混合物を得た。